(57)【要約】      （修正有）【課題】冷蔵庫の内容積を拡大しながらも、外部からの荷重に対する剛性を確保する。【解決手段】外側パネル要素２５及び内側パネル要素２１を有する複数のパネルから形成され、一面に開口を有する冷蔵庫筐体であって、開口を形成する内側パネル要素２１の外側パネル要素２５を向く面に内側補強材２４を取り付けるようにした。【選択図】図２
2015190716.tif 000002
【特許請求の範囲】
【請求項１】
外側パネル要素及び内側パネル要素を有する複数のパネルから形成され、一面に開口を有する冷蔵庫筐体であって、
前記開口を形成する内側パネル要素の前記外側パネル要素を向く面に内側補強材が取り付けられていることを特徴とする冷蔵庫筐体。
【請求項２】
前記内側補強材が、前記外側パネル要素に接触することなく前記内側パネル要素に取り付けられていることを特徴とする請求項１記載の冷蔵庫筐体。
【請求項３】
前記内側補強材が、
前記内側パネル要素の前記外側パネル要素を向く面に取り付けられる取付部と、
前記取付部から前記外側パネル要素に向かって延出する延出部とを有することを特徴とする請求項１又は２記載の冷蔵庫筐体。
【請求項４】
前記取付部が、前記開口側からその反対の背面側に亘って設けられており、
前記延出部が、前記取付部の開口側に設けられていることを特徴とする請求項３記載の冷蔵庫筐体。
【請求項５】
前記内側パネル要素は、庫内の面する内壁部と、該内壁部における開口側端部に設けられ、前記外側パネル要素に向かって突出した内側フランジ部とを有し、
前記外側パネル要素は、庫外に面する外壁部と、該外壁部における開口側端部に設けられ、前記内側パネル要素に向かって突出して前記内側フランジ部に嵌合される外側フランジ部とを有し、
前記延出部が、前記内側フランジ部に沿って延びていることを特徴とする請求項３又は４記載の冷蔵庫筐体。
【請求項６】
前記開口を形成する外側パネル要素の前記内側パネル要素を向く面に外側補強材が取り付けられていることを特徴とする請求項１乃至５の何れか一項に記載の冷蔵庫筐体。
【発明の詳細な説明】
【技術分野】
【０００１】
本発明は、冷蔵庫筐体に関するものである。
【背景技術】
【０００２】
従来より、内箱と外箱とが組み合わされて構成され、開口が形成された冷蔵庫の筐体が知られている。
【０００３】
この種の冷蔵庫筐体は外部からの力が加わったとき開口側が変形しようとするが、特許文献１に示す冷蔵庫筐体は、外箱の天面板の内側に補強材を取り付けることにより、この補強材が外部からの力に抗して、変形を防止するように構成されている。
【０００４】
ところで、冷蔵庫の外径寸法を変更することなく冷蔵庫の内容積を拡大するためには、冷蔵庫筐体の断熱壁を薄型化する必要がある。
【０００５】
しかしながら、従来のように、補強材を外箱の内側に取り付けただけの構成では、上述した断熱壁の薄型化に伴い剛性が低くなり、外部からの荷重による開口側の変形を防止できないという問題が生じる。
【先行技術文献】
【特許文献】
【０００６】
【特許文献１】特開２０００−２６６４５８号公報
【発明の概要】
【発明が解決しようとする課題】
【０００７】
そこで、本願発明は、上記問題点を解決すべくなされたものであって、冷蔵庫の内容積を拡大しながらも、外部からの荷重に対する剛性を確保することをその主たる課題とするものである。
【課題を解決するための手段】
【０００８】
ここで、従来は、上述したように、外箱に補強材が取り付けることにより剛性を高めており、内箱に補強材を取り付けると、庫内の熱が補強材を介して庫外に面する外箱に伝達されてしまい、冷却効率が低下するうえ、外箱が冷やされて結露が生じると考えられていた。このことから、これまでは、内箱に補強材を取り付けるという技術常識は一切なかった。
この技術常識に対して、本願発明者は、鋭意検討し、試行錯誤した結果、外部からの荷重に対する剛性を確保しながらも、庫内から庫外への伝熱を抑えることが可能であることを見出した。
【０００９】
すなわち、本発明に係る冷蔵庫筐体は、外側パネル要素及び内側パネル要素を有する複数のパネルから形成され、一面に開口を有する冷蔵庫筐体であって、前記開口を形成する内側パネル要素の前記外側パネル要素を向く面に内側補強材が取り付けられていることを特徴とするものである。
【００１０】
このように構成された冷蔵庫筐体によれば、内側補強材を内側パネル要素の外側パネル要素を向く面に取り付けているので、従来に比べて外部からの荷重に対する剛性を確保することができるうえ、庫内から庫外への伝熱を抑えることができる。
具体的に、冷蔵庫筐体に対して対角荷重が加わった場合には、冷蔵庫筐体の角部に荷重が集中することになるが、内側パネル要素に内側補強材が取り付けられているので、この内側補強材が角部を補強するリブとして機能するので、冷蔵庫筐体の剛性を確保することができる。
これにより、パネルを薄型化しても冷蔵庫筐体の剛性を十分に確保して、冷蔵庫筐体の外径寸法を変更することなく冷蔵庫筐体の内容積を拡大することができる。
【００１１】
前記内側補強材が、前記外側パネル要素に接触することなく前記内側パネル要素に取り付けられていることが好ましい。
これならば、内側補強材と外側パネル要素の間に隙間が形成されるので、庫内の熱が内側補強部材を介して外側パネル要素に伝達されるのを抑え、冷却効率の低下を防ぐことができる。
また、庫外に面する外側パネル要素から内側補強材を介して庫内に熱が伝達されるのを抑え、外箱に結露が発生するのを防止することができる。
【００１２】
前記内側補強材が、前記内側パネル要素の前記外側パネル要素を向く面に取り付けられる取付部と、前記取付部から前記外側パネル要素に向かって延出する延出部とを有することが好ましい。
これならば、延出部を設けることにより、平板状をなす補強材に比べて、剛性を高めることができる。
【００１３】
前記取付部が、前記開口側からその反対の背面側に亘って設けられており、前記延出部が、前記取付部の開口側に設けられていることが好ましい。
これならば、外部からの力が加わったときに変形しやすい開口側の剛性をより高めることができる。
【００１４】
具体的な実施態様としては、前記内側パネル要素は、庫内の面する内壁部と、該内壁部における開口側端部に設けられ、前記外側パネル要素に向かって突出した内側フランジ部とを有し、前記外側パネル要素は、庫外に面する外壁部と、該外壁部における開口側端部に設けられ、前記内側パネル要素に向かって突出して前記内側フランジ部に嵌合される外側フランジ部とを有し、前記延出部が、前記内側フランジ部に沿って延びているものが挙げられる。
【００１５】
前記開口を形成する外側パネル要素の前記内側パネル要素を向く面に外側補強材が取り付けられていることが好ましい。
これならば、冷蔵庫筐体の剛性をより高めることができる。
【発明の効果】
【００１６】
このような構成とすれば、冷蔵庫の内容積を拡大しながらも、外部からの荷重に対する剛性を確保することができる。
【図面の簡単な説明】
【００１７】
【図１】本発明の実施形態に係る冷蔵庫筐体の構成を示す斜視図である。
【図２】冷蔵庫筐体の側面パネルの構成を示す平面断面図である。
【図３】冷蔵庫筐体の仕切パネルの構成を示す側面断面図である。
【図４】本変形例１に係る冷蔵庫筐体の側面パネルの構成を示す平面断面図である。
【図５】本変形例２に係る冷蔵庫筐体の側面パネルの構成を示す平面断面図である。
【図６】本変形例３に係る冷蔵庫筐体の仕切パネルの構成を示す平面断面図である。
【発明を実施するための形態】
【００１８】
以下、本発明の実施形態を図面に基づいて説明する。なお、以下の好ましい実施形態の説明は、本質的に例示に過ぎず、本発明、その適用物或いはその用途を制限することを意図するものではない。各図には、上下や前後左右の方向を矢印で示してある。特に言及しない限り、上下等の方向についてはこれら矢印で示す方向に従って説明する。
【００１９】
図１に示すように、冷蔵庫筐体１０は、樹脂製の内側パネル要素２１と金属製の外側パネル要素２５とを組み合わせ、前方が開口するように構成されている。具体的にこの冷蔵庫筐体１０は、内箱である内側パネル要素２１及び外箱である外側パネル要素２５の間に断熱材１５を充填してなる、天井パネル１１と、底面パネル１２と、背面パネル１３と、左右一対の側面パネル２０と、仕切パネル３０とを備えている。冷蔵庫筐体１０の庫内Ｓは、仕切パネル３０によって上下二段に仕切られている。なお、以下では、側面パネル２０の内部構造について説明するが、天井パネル１１や底面パネル１２についても同様の内部構造を有するものとし、説明を省略する。
【００２０】
図２は、冷蔵庫筐体１０の側面パネル２０の構成を示す平面断面図である。図２に示すように、側面パネル２０の内側パネル要素２１は、庫内Ｓに面する内壁部２２と、内壁部２２における筐体開口側の周縁に沿って延び且つ外側パネル要素２５に向かって突出した内側フランジ部２３とを有する。内側フランジ部２３には、その一部が膨出するように折り曲げられた膨出部２３ａが設けられている。
【００２１】
側面パネル２０の外側パネル要素２５は、庫外に面する外壁部２６と、外壁部２６における筐体開口側の周縁に沿って延び且つ内側パネル要素２１に向かって突出して内側フランジ部２３に嵌合される外側フランジ部２７とを有する。外側フランジ部２７は、外壁部２６の前端部を折り曲げることによって内側パネル要素２１側に向かって開口した断面凹状に形成されている。
【００２２】
ここで、外側フランジ部２７は、内側パネル要素２１側に向かうほど開口幅が狭くなっている。そのため、内側フランジ部２３の膨出部２３ａを外側フランジ部２７の凹部内に押し込むことで、内側フランジ部２３が外側フランジ部２７に嵌め込まれ、側面パネル２０を組み立てることができる。側面パネル２０内部には、内部空間２０ａが形成されている。内部空間２０ａには、例えばウレタンからなる真空断熱材等の断熱材１５が発泡充填されている。
【００２３】
内側フランジ部２３の膨出部２３ａと外側フランジ部２７との隙間には、冷媒配管１４が配設されている。さらに、外壁部２６の内部空間２０ａ側にも冷媒配管１４が配設されている。冷媒配管１４には、高温冷媒が流通しており、高温冷媒の熱によって外側パネル要素２５に結露が発生しないようにしている。
【００２４】
そして、本実施形態では、図２に示すように、内側パネル要素２１における外側パネル要素２５を向く面に内側補強材２４が取り付けられている。
【００２５】
本実施形態の内側補強材２４は、外側パネル要素２５に接触することなく、つまり外側パネル要素２５に対して隙間を介して配設されており、具体的には、内側パネル要素２１における外側パネル要素２５を向く面に取り付けられる取付部２４ａと、この取付部２４ａから外側パネル要素２５に向かって延出する延出部２４ｂとを有するものである。
【００２６】
より詳細にこの内側補強材２４は、内壁部２２における内部空間２０ａ側の面に取り付けられており、取付部２４ａが、開口側からその反対の背面側に亘って（本実施形態では、前側から後側に亘って）設けられ、延出部２４ｂが、取付部２４ａの開口側から略垂直に内側フランジ部２３に沿って延設されている。
【００２７】
より具体的に本実施形態の内側補強材２４は、開口側の前端部が内部空間２０ａ側に折り曲げられた断面Ｌ字状の金属板である。
なお、本実施形態では、内側パネル要素２１と外側パネル要素２５との距離を２５ｍｍとし、延出部２４ｂを３ｍｍとしている。
【００２８】
また、本実施形態では、図２に示すように、外側パネル要素２５における内側パネル要素２１を向く面に外側補強材２８が取り付けられている。
【００２９】
本実施形態の外側補強材２８は、内側補強材２４と同様に、内側パネル要素２１に接触することなく、つまり内側パネル要素２１に対して隙間を介して配設されており、開口側の前端部が内部空間２０ａ側に折り曲げられた断面Ｌ字状の金属板である。
【００３０】
図３は、冷蔵庫筐体１０の仕切パネル３０の構成を示す側面断面図である。図３に示すように、仕切パネル３０は、庫外に面する仕切外側パネル要素３１と、仕切外側パネル要素３１の上下両端縁に連続して庫内Ｓに面するように延びる仕切内側パネル要素３２とを有する。仕切外側パネル要素３１及び仕切内側パネル要素３２は、樹脂材で一体形成されており、仕切パネル３０内部には、内部空間３０ａが形成されている。内部空間３０ａには、例えばウレタンからなる真空断熱材等の断熱材１５が発泡充填されている。仕切外側パネル要素３１の前面の一部は、金属製の補強板３３で覆われている。仕切外側パネル要素３１と補強板３３との隙間には、高温冷媒が流通する冷媒配管１４が配設されている。
【００３１】
冷蔵庫筐体１０の前面には、開口を開閉自在に塞ぐ開閉扉１６が配設されている。開閉扉１６の後面には、パッキン材１７が取り付けられている。開閉扉１６を閉じた状態では、パッキン材１７が仕切パネル３０の前面に密着するようになっている。
【００３２】
そして、本実施形態では、仕切内側パネル要素３２における内部空間３０ａ側の面に、仕切外側パネル要素３１の近傍で仕切外側パネル要素３１に沿って延びる仕切内側補強材３４が取り付けられている。
より詳細にこの仕切内側補強材３４は、前端部が内部空間３０ａ側に向かって折り曲げられて断面Ｌ字状に形成されており、仕切外側パネル要素３１に対して隙間を介して配設されている。
より具体的にこの仕切内側補強材３４は、金属板を折り曲げることによって形成されており、仕切内側パネル要素３２に取り付けられる仕切取付部３４ａと、仕切取付部３４ａの前端から内部空間３０ａ側に向かって略垂直に延出する仕切延出部３４ｂと、仕切取付部３４ａの後端から内部空間３０ａ側に向かって斜めに折り曲げられた仕切折曲部３４ｃとを有するものである。
【００３３】
また、本実施形態では、仕切外側パネル要素３１における内部空間３０ａ側の面に、仕切外側パネル要素３１に沿って延びる仕切外側補強材３５が取り付けられている。仕切外側補強材３５は、上下両端部が後方に向かって折り曲げられた断面凹状の金属板で形成されている。仕切外側補強材３５は、仕切内側パネル要素３２に対して隙間を介して配設されている。
【００３４】
続いて、上述したように構成された本実施形態に係る冷蔵庫筐体１０の剛性等の性能を評価した試験結果を表１に示す。
【表１】
2015190716.tif 000003
【００３５】
この試験結果から、本実施形態に係る冷蔵庫筐体１０のように、内側補強材２４及び外側補強材２８を取り付けることにより、内容積を拡大しながらも、剛性を高めて最大変位量を低減させることが可能であることが分かる。
【００３６】
以上のように構成された本実施形態に係る冷蔵庫筐体１０によれば、対角荷重に対する剛性を確保することができる。
具体的に、冷蔵庫筐体１０に対して対角荷重が加わった場合には、冷蔵庫筐体１０の天井パネル１１と側面パネル２０との角部に荷重が集中することとなるが、内壁部２２の内面に内側補強材２４が取り付けられているので、この内側補強材２４が角部を補強するリブとして機能するので、冷蔵庫筐体１０の剛性を確保することができる。
これにより、外側パネル要素２５と内側パネル要素２１とで構成される断熱壁を薄壁化しても冷蔵庫筐体１０の剛性を十分に確保でき、冷蔵庫筐体１０の外径寸法を変更することなく冷蔵庫筐体１０の内容積を拡大することができる。
【００３７】
特に、延出部２４ｂが、取付部２４ａの開口側から内側フランジ部２３に沿って延設されているので、対角荷重が加わった場合に変形しやすい開口側の剛性を高めることができる。
【００３８】
また、外側パネル要素２５と内側補強材２４との間に隙間を設けているから、庫内Ｓの熱が内側補強材２４を介して外側パネル要素２５に伝達されるのを抑え、冷却効率の低下を防ぐことができる。
さらに、庫外に面する外側パネル要素２５から内側補強材２４を介して庫内Ｓに熱が伝達されるのを抑え、外側パネル要素２５に結露が発生するのを防止することができる。
【００３９】
そのうえ、仕切内側補強材３４に仕切折曲部３４ｃを設けることで、仕切内側補強材３４の幅寸法を十分に確保して剛性を高めるとともに、仕切内側補強材３４が仕切内側パネル要素３２に当接する面積を減らすことができ、仕切内側補強材３４を介して庫内Ｓ側に熱が伝達されるのを抑えることができる。
【００４０】
加えて、仕切パネル３０においても、仕切内側パネル要素３２の内面に仕切内側補強材３４を取り付けることで、対角荷重に対して冷蔵庫筐体１０の剛性を確保することができる。さらに、仕切外側パネル要素３１と仕切内側補強材３４との間に隙間を設けているから、庫外に面する仕切外側パネル要素３１から仕切内側補強材３４を介して庫内Ｓに熱が伝達されるのを抑え、仕切外側パネル要素３１に結露が発生するのを防止することができる。
【００４１】
《変形例１》
図４は、本変形例１に係る冷蔵庫筐体１０の側面パネル２０の構成を示す平面断面図である。図４に示すように、内側補強材２４は、前後方向の両端部がそれぞれ内部空間２０ａ側に折り曲げられた断面凹状に形成されている。これにより、断面Ｌ字状の内側補強材２４に比べて、さらに剛性を高めることができる。
【００４２】
《変形例２》
図５は、本変形例２に係る冷蔵庫筐体１０の側面パネル２０の構成を示す平面断面図である。図５に示すように、内側補強材２４は、内壁部２２に取り付けられる取付部２４ａと、取付部２４ａの後端部から内部空間２０ａ側に折り曲げられた折曲部２４ｃとを有する。
【００４３】
このように、内側補強材２４に折曲部２４ｃを設けることで、内側補強材２４の幅寸法を十分に確保して剛性を高めるとともに、内側補強材２４が内壁部２２に当接する面積を減らすことができ、内側補強材２４を介して庫内Ｓ側に熱が伝達されるのを抑えることができる。
【００４４】
《変形例３》
図６は、本変形例３に係る冷蔵庫筐体１０の仕切パネル３０の構成を示す側面断面図である。図６に示すように、仕切内側補強材３４は、仕切内側パネル要素３２に取り付けられる仕切取付部３４ａと、仕切取付部３４ａの後端部から内部空間３０ａ側に向かって折り曲げられた後でさらに後方に折り曲げられた仕切折曲部３４ｃとを有する。
【００４５】
このように、仕切内側補強材３４に仕切折曲部３４ｃを設けることで、仕切内側補強材３４の幅寸法を十分に確保して剛性を高めるとともに、仕切内側補強材３４が仕切内側パネル要素３２に当接する面積を減らすことができ、仕切内側補強材３４を介して庫内Ｓ側に熱が伝達されるのを抑えることができる。
【００４６】
《その他の実施形態》
前記実施形態については、以下のような構成としてもよい。
【００４７】
本実施形態や変形例では、内側補強材２４の形状として、断面Ｌ字状や断面凹状に折り曲げた構成を例示して説明したが、この形態に限定するものではなく、剛性を十分に確保できるのであれば、どのような形状であっても構わない。
【００４８】
また、本実施形態や変形例では、内側補強材２４、外側補強材２８、仕切内側補強材３４、及び仕切外側補強材３５を金属板で形成した形態について説明したが、特にこの形態に限定するものではなく、剛性を十分に確保できるのであれば、どのような材料を用いても構わない。例えば、炭素繊維を含む複合材料や、ガラス繊維等を含み剛性の高い樹脂材料を用いてこれらの補強材を形成してもよい。
【００４９】
また、本実施形態では、内側パネル要素２１に内側補強材２４を設けるとともに、外側パネル要素２５に外側補強材２８を設けた構成について説明したが、剛性を十分に確保できるのであれば、外側補強材２８は不要であり、内側補強材２４のみを設けるようにしてもよい。
【符号の説明】
【００５０】
１０    冷蔵庫筐体
１１    天井パネル
１２    底面パネル
２０    側面パネル
２１    内側パネル要素
２２    内壁部
２３    内側フランジ部
２４    内側補強材
２４ａ  取付部
２４ｂ  延出部
２４ｃ  折曲部
２５    外側パネル要素
２６    外壁部
２７    外側フランジ部
２８    外側補強材
３０    仕切パネル
３１    仕切外側パネル要素
３２    仕切内側パネル要素
３４    仕切内側補強材
３４ａ  仕切取付部
３４ｂ  仕切延出部
３４ｃ  仕切折曲部
Ｓ    庫内
【図１】
2015190716.tif 000004
【図２】
2015190716.tif 000005
【図３】
2015190716.tif 000006
【図４】
2015190716.tif 000007
【図５】
2015190716.tif 000008
【図６】
2015190716.tif 000009